(57)【要約】      （修正有）【課題】ネットワークを介して新しい作品の商品化に関する投資を行なわせ、投資家から資金を調達すると共に、作品やアイデアの投票を参考にして商品化の判断を行う。また、会員には投資判断に作品に関する情報を提供する。【解決手段】利用者がネットワークを介して商品に関する投資の取引きを行うシステムにおいて、会員ＤＢと、投資の対象となる商品ＤＢと、商品売上ＤＢと、投資対象となる商品を含む作品の投票情報の登録ＤＢとを有し、サーバは、端末機との間で利用者が投資取引き可能な会員になるための処理を行い、端末機から送られる作品の投票情報を収集して、端末機との間で投資対象の作品を選定し、投資金の支出及び配当金の支払いに関する情報を会員ＤＢに登録し、商品売上高ＤＢを参照して配当金を算出し、会員ＤＢに登録された会員にある商品に関する配当金を支払うための処理をする。【選択図】  図１
2004185367.tif 000002
【特許請求の範囲】
【請求項１】
利用者が端末機からネットワークを介してサーバをアクセスし、商品に関する投資の取引きを行うシステムにおいて、
情報の記憶装置に、会員に関する情報を登録する会員ＤＢと、投資の対象となり、商品販売の可能性のある商品の関連情報を登録する商品ＤＢと、商品の売上に関する情報を登録する商品売上ＤＢと、投資対象となる商品を含む作品の投票情報を登録する投票ＤＢとを有し、
サーバは、端末機との間で利用者が投資取引き可能な会員になるための処理を行うと共に、会員ＤＢに会員を登録するための処理を行う会員登録処理手段と、該端末機から送られる作品の投票情報を収集して処理し、投票ＤＢへ登録する投票処理手段と、端末機との間で投資対象となる商品を選定する処理を行い、選定された商品に関する投資関連情報を商品ＤＢに登録し、投資金の支出及び配当金の支払いに関する情報を会員ＤＢに登録する投資処理手段と、商品売上高ＤＢを参照して配当金を算出し、会員ＤＢに登録された会員にある商品に関する配当金を支払うための処理をする配当金処理手段と、を有することを特徴とする商品の投資システム。
【請求項２】
利用者が端末機からネットワークを介してサーバをアクセスし、商品に関する投資の取引きを行うシステムにおいて、
情報の記憶装置に、会員に関する情報を登録する会員ＤＢと、投資の対象となり商品販売の可能性のある商品の関連情報を登録する商品ＤＢと、商品の売上に関する情報を登録する商品売上ＤＢと、商品のクリップ情報を登録するクリップＤＢとを有し、
サーバは、端末機との間で利用者が投資取引き可能な会員になるための処理を行うと共に、会員に関する情報を会員ＤＢに登録するための処理を行う会員登録処理手段と、端末機との間で投資対象となる商品を選定する処理を行い、選定された商品に関する投資関連情報を商品ＤＢに登録し、投資金の支出及び配当金の支払いに関する情報を会員ＤＢに登録する投資処理手段と、商品売上高ＤＢを参照して配当金を算出し、会員ＤＢに登録された投資者に商品の配当金を支払うための処理をする配当金処理手段と、端末機から指定された商品に関して該クリップＤＢを検索し、該当するクリップ情報を端末機に送信する手段と、を有することを特徴とする商品の投資システム。
【請求項３】
請求項１又は２に記載の投資システムにおいて、会員ＤＢには少なくとも、会員に付与された固有のＩＤと、会員が商品の投資を行う際、投資資金を支出する手段がクレジットカードである場合にはクレジットカード番号と、配当金を振込むための金融機関の口座番号と、会員の連絡先を示す情報と、を登録することを特徴とする投資システム。
【請求項４】
請求項１、２又は３のいずれかに記載のシステムにおいて、サーバは、投資された商品に関する投資証券を電子情報として作成する手段を有し、作成された証券は、該会員ＤＢに登録された会員の連絡先を示す情報に従って該会員に送信されることを特徴とする投資システム。
【請求項５】
端末機からネットワークを介して商品の投資を行う投資方法において、
記憶装置に少なくとも、会員に関する情報を登録する会員ＤＢと、投資の対象となり得る商品を含む商品の関連情報を登録する商品ＤＢとを形成するステップと、
端末機と通信して利用者が商品の投資取引きの会員になるための処理を行うと共に、会員に関する情報を会員ＤＢに登録するための処理を行うステップと、
会員による投資の取り引きに際して、端末機から指定された商品に関するクリップ情報を取得して端末機に送信するステップと、
投資の取り引きにおいて、商品の予想配当金を算出し、端末機に送信するステップと、
端末機との間で投資対象となる商品に関する処理を行い、投資対象に選定された商品に関する情報を商品ＤＢに登録し、投資金の支出に関する処理を行う投資処理ステップと、
を有する投資処理方法。
【請求項６】
端末機からネットワークを介して商品の投資を行う投資方法において、
記憶装置に、会員に関する情報を登録する会員ＤＢと、投資の対象となり得る商品の関連情報を登録する商品ＤＢと、商品のクリップ情報を登録するクリップＤＢとを形成するステップと、
端末機を操作して利用者が投資取引き可能な会員になるための処理を行うと共に、会員に関する情報を会員ＤＢに登録するための処理を行う会員登録処理ステップと、
会員による投資の取り引きに際して、端末機から指定された商品に関してクリップＤＢを検索し、該当するクリップ情報を端末機に送信するステップと、
端末機との間で投資対象となる商品を選定する処理を行い、選定された商品に関する投資関連情報を商品ＤＢ及び会員ＤＢに登録し、投資金の支出に関する処理を行う投資処理ステップと、
商品売上から配当金を算出し、会員ＤＢに登録された投資者に商品の配当金を支払うための処理をする配当金処理ステップと、
を有することを特徴とする投資方法。
【請求項７】
請求項６の投資方法において、投資の対象となる商品に関する予想配当金を算出し、その予想配当金の情報を商品毎にＤＢに記憶するステップと、
端末機からある商品の予想配当金を参照するための指示が行われた場合、このＤＢからその商品の予想配当金を読み出して、端末機に送信するステップとを有する投資方法。
【請求項８】
請求項６又は７に記載の投資方法において、投資された商品に関する投資証券を電子情報として作成するステップと、
作成された証券を会員ＤＢに登録された会員の連絡先を示す情報に従って会員に送信するステップとを有する投資方法。
【発明の詳細な説明】
【０００１】
【発明の属する技術分野】
本発明は商品の投資システムに係り、特に音楽、映画、映像などの作品を収録してＣＤ（コンパクトディスク）、ＶＴＲ等の記録媒体を製造、販売する場合、或いはそれらを放送、ネットワークに配信する場合に、必要となる資金を一般の人から投資と言う形で調達し、売上益を配当金として投資者に還元する企画商品の投資、配当システムに関するものである。
【０００２】
【従来の技術】
多種多様な音楽や映画、演劇等がＣＤやＶＴＲに収録して販売されている。音楽の場合、通常、レコード会社が作曲家や作詞家と交渉して新企画を検討し、決まった作品をＣＤに製造して販売する。新曲をＣＤとして販売する場合、製造費や宣伝費に全体の経費の半分程度を必要とし、残りの半分は作詞、作曲家に支払う費用、著作権料等のために費やされる、と言われている。ＣＤを販売した結果、ヒット商品になるのは数％にも満たないのが現状である。
【０００３】
音楽ＣＤの販売のための宣伝費は膨大である。そこで販売のリスクを小さくするために、商品の企画会議で真に販売すべき新曲を選択決定してそれをＣＤ化するようにしている。このため実際に発売されるＣＤは、候補に上がった、或いは企画会議で審議された曲の数に比べて、極めて少ない。企画段階又は曲の選定段階で、ＣＤとしての商品化をあきらめた曲の方がはるかに多い。しかしこれらＣＤの商品化しなかった曲でも、実際に発売してみればヒット商品となったものもあったかもしれない。レコード会社における新曲の販売企画の段階で没になった曲をそのまま葬ってしまうのではなく、視聴者やファンが好むものが在るならば、なんらかの形で世の中に販売したいものである。
【０００４】
特開２００２−１３３１７０号公報（特許文献１）にはアイデアに関する投資装置及び運用装置が開示されている。即ち、アイデア投資・運用装置はネットワークを介して投資家装置及びアイデア保持者の装置と接続し、アイデアに関する投資家を募り、アイデアの運用資金を調達すると共に、投資家には運用益から配当を支払うようにしている。しかし、このシステムは投資の対象とするアイデアが特許を受けようとする発明であり、取引上守秘義務が伴う。このために投資の会員となるためには、個人の評価、身元調査など特別な処置が必要となる。また、発明は投資の対象として評価が難しく、更に、発明を実施することによる運用益の算出、及び配当の決め方が難しい、と言う問題がある。しかもそれらの処理をネットワーク上で行おうとすると、上記の課題は一層複雑となる。
【０００５】
【特許文献１】
特開２００２−１３３１７０号公報
【０００６】
【発明が解決しようとする課題】
本発明の目的は、ネットワークを介して新しい作品の商品化に関する投資、資金の調達を行う投資システムを提供することにある。
本発明の他の目的は、投資家の判断に基いて新企画やアイデアの商品化を行うとともに、商品化のためのリスクを小さくし、宣伝、販売費を節約できる商品の販売企画のためのシステム及び方法を提供することにある。
本発明の他の目的は、音楽や映画等の作品の商品化に際し、投資家に商品に関する参考情報を提供し、投資のための判断を行い易くするシステムを提供することにある。
【０００７】
【課題を解決するための手段】
本発明は、利用者が端末機からネットワークを介してサーバをアクセスし、商品に関する投資の取引きを行うシステムにおいて、情報の記憶装置には、会員に関する情報を登録する会員ＤＢと、投資の対象となり、商品販売の可能性のある商品の関連情報を登録する商品ＤＢと、商品の売上に関する情報を登録する商品売上ＤＢと、投資対象となる商品を含む作品の投票情報を登録する投票ＤＢとを有し、またサーバは、端末機との間で利用者が投資取引き可能な会員になるための処理を行うと共に、会員ＤＢに会員を登録するための処理を行う会員登録処理手段と、端末機から送られる作品の投票情報を収集して処理し、投票ＤＢへ登録する投票処理手段と、端末機との間で投資対象となる商品を選定する処理を行い、選定された商品に関する投資関連情報を商品ＤＢに登録し、投資金の支出及び配当金の支払いに関する情報を会員ＤＢに登録する投資処理手段と、商品売上高ＤＢを参照して配当金を算出し、会員ＤＢに登録された会員にある商品に関する配当金を支払うための処理をする配当金処理手段と、を有して構成される商品の投資システムである。
上記会員ＤＢには少なくとも、会員に付与された固有のＩＤと、会員が商品の投資を行う際、投資資金を支出する手段がクレジットカードである場合にはクレジットカード番号と、配当金を振込むための金融機関の口座番号と、会員の連絡先を示す、例えばメールアドレスのような情報とを登録する。
上記サーバはまた、投資された商品に関する投資証券を電子情報として作成する手段を有し、作成された証券は、会員ＤＢに登録された会員の連絡先を示す情報に従って会員に送信される。このように投資証券も電子情報化して投資家に送信されるので、投資家にとって一層便利になる。更に、サーバは、予想配当金を算出し、端末機に送信して表示する予想配当金算出手段を有する。
本発明はまた、商品のクリップ情報を登録するクリップＤＢを有し、クリップＤＢ内のクリップ情報を読み出すために関連付けられた固有の符号を、商品ＤＢに登録されている商品に対応して商品ＤＢ内に登録しておき、クリップＤＢから読み出されたある商品のクリップ情報を端末機へ送信するように構成される。このクリップ情報は商品の概要を示す概要情報、或いは商品の付加的な情報として機能する。また投資家に対しては投資のための商品の参考情報を提供することになるので、会員は投資の対象商品を的確に判断でき、投資の判断が行い易くなる。上記各々のＤＢは個別的に設ける必然性は特にない。物理的に１つのＤＢ或いは記憶装置上にこれらの情報が格納される領域が確保されるような構成しても良い。
【０００８】
【発明の実施の形態】
以下、図面を参照して本発明の一実施例について説明する。
本例では、新企画商品として音楽ＣＤの商品化に関する投資システムの例について説明する。
【０００９】
図１は本発明の一実施例による企画商品の投資システムのブロック図を示す。このシステムは、一般の人が端末機２を使用してインタネットのような公衆のネットワークを介してサーバ１をアクセスできる。サーバ１は、アイデアや新企画を収集して商品化する者又は会社がホームページＨＰを開設し、そのＨＰを新商品の投資や投票のために一般に公開するものとして機能する。サーバ１は、処理装置１１とデータベースＤＢ１２〜１８から構成され、これらは内部バスを介して送受信部１９に接続されている。
【００１０】
処理装置１１はデータベースの検索、データの編集、送受信データの作成等、種々の情報処理を行う。データベースＤＢは会員ＤＢ１２、商品ＤＢ１３，商品売上げ管理ＤＢ１４，投資家ＤＢ１５、クリップＤＢ１６、投票ＤＢ１７，その他の情報ＤＢ１８から構成される。これらのＤＢ１２〜１８は便宜上分けて図示してあるが、物理的に１つの記憶装置上に形成されてもよい。
【００１１】
会員ＤＢ１２はこの音楽ＣＤの企画の投資に参画できる会員に関する情報を登録するＤＢである。その詳細は図２を参照して後述される。商品ＤＢ１３は新らたに企画の対象となるＣＤに関する情報を登録するＤＢである。商品ＤＢ１３に登録されたＣＤ商品から投資の対象となるものが選定され、また実際に販売されるＣＤ商品が選ばれる。この商品ＤＢ１３の詳細については図４を参照して後述される。商品売上げ管理ＤＢ１４は、実際に販売された各々のＣＤの売上げ高に関する情報を登録するＤＢである。投資家ＤＢ１５は新企画商品に対して投資した投資家の情報を登録するＤＢである。ＣＤの売上げ高から利益を算出し、この投資家ＤＢを参照して、投資額に見合う配当金が支払わられることになる。
【００１２】
クリップＤＢ１６は、新企画商品である音楽作品に関するミュージッククリップおよびムービークリップを登録する。例えば、曲の始めの１又は数フレーズからなるミュージッククリップ、及びその曲を歌っている歌手の映像又は曲に合った風景等の画像であるムービークリップがデジタル情報として登録される。クリップ情報は、会員があるＣＤ商品に投資、又は或いは投票するとき、当該音楽ＣＤの参考情報となり、会員の投資、投票の判断を行い易くする。クリップ情報の検索のために各クリップ情報毎に固有の符号、例えばクリップ番号が付与される。投票ＤＢ１７は、企画段階の商品即ち作品の投票結果の情報（投票数）を作品毎に登録するＤＢであり、その情報を参考にして投資対象となる作品が選定される。
その他の情報ＤＢ１８には上記以外の取引きに必要な情報が記憶される。例えば投票や投資の取引きの処理に使用される個々の情報、例えばアーチスト作品の一覧情報やアーティスト毎の作品情報、投票者数に関するデータなどの情報が格納される。
端末機２は、サーバ１のＨＰをアクセスし、ＣＤ商品に関する情報を得て、投票を行ったり、販売対象とするＣＤ商品への投資を行うための機器であり、例えばパーソナルコンピュータＰＣ、携帯端末機、携帯電話などである。いずれもキーボードやマウスなどの入力機及び液晶表示機などの表示機などの表示機能を有している。
【００１３】
図２は会員の登録データベース１２の構成を示す図である。
会員ＤＢ１２には、会員毎に、ユーザＩＤ，パスワード、クレジットカード番号、銀行等の金融機関の口座番号、氏名、住所、投資商品コード／支払配当金、その他の情報が登録される。その他の情報としては、入会年月日、年齢、職業、電話番号、メールアドレス、携帯電話番号、好みのアーティスト（歌手、作曲家等）である。
ユーザＩＤやパスワードはこの投資システム（会社）と取引きを行う個人に対して、付与されるコード番号及び秘密符号である。クレジットカード番号は投資資金を支払うための会員個人の引落とし口座となる。金融機関口座番号は、ＣＤ商品が相当量売れた場合、会員個人に支払われる配当金の振込み口座となる。また、会員は複数のＣＤ商品や他の商品例えば映画や本の発行等にも投資する場合があり得る。そのため企画商品であるＣＤや映画、本など個別の作品毎にＩＤコードが付され、また投資した商品毎に配当金を格納しておく領域が確保される。尚、投資金の支払いを金融機関の口座から自動的に引き落としすることも可能である。この場合、クレジットカード番号の欄は金融機関の口座番号を格納するように構成される。
【００１４】
図３は会員の取引及び登録のためのフローチャート図である。図３を参照して会員取り引き及び会員ＤＢ１２への登録動作について説明する。
まず、会員非会員を問わず、個人である操作者はＰＣ等の端末機２を使用してインタネットを介してサーバ１により開設されたホームページＨＰに接続する（３０１）。勿論、端末機３として携帯電話等を使用しても良い。ＨＰには、ＣＤの新規商品化に関する企画の案内表示や、新規ＣＤに関する投票、投資、及び配当金に関する案内が表示される。また、ＨＰにはＣＤの新規販売企画に投資するために会員となる案内も表示されている。このＨＰへのアクセスが新規か否かを問合せて、以後の処理フローを選択させる（３０２）。
即ち、新規でない場合には既に会員となっている場合であるので、会員ＩＤを入力させ、続いてパスワードを入力させる。そして、入力されたそれらのコードが、予め会員ＤＢ１２に登録されたものと一致しているか否かを、処理装置１１で比較する（３０３）。比較の結果、一致した場合には登録会員であるので、投票取引き及び投資取引きが許可され、これらの取引きが可能となる（３０４）。これらの処理フローについては後で詳述する。
一方、比較の結果一致しなければ、会員ＩＤコードを再度入力するように案内し、この動作を繰り返す（３０５）。繰り返し数が所定の回数に成ると、会員ではないと見なして処理を終わる。
【００１５】
上記ステップ３０２で新規アクセスが選択されると、会員登録するか否かのガイダンスが表示される。そして「否」が選択されると処理は終了するが、「会員登録する」が選択されると、処理が続行される（３０６）。会員登録する場合には、会員として必要なデータの入力と、契約内容に同意する旨の入力が行われる（３０７）。会員として入力されるべきデータとしては、図２に示すような会員ＤＢ１２に登録される情報である。即ち、氏名、住所、クレジットカード番号、配当金振込用の金融機関口座番号等である。また、契約内容の同意の入力には、例えば会員が取引きした金額をクレジットカード番号の口座から自動引落としする旨、取引き内容の選択、実行操作と同時に契約成立と見なして処置する旨、等に対する同意事項の入力がある。
上記会員データの入力及び同意の入力があると、処理装置１１は、その会員に新たな会員ＩＤ，及びパスワードを付与し、発行するための処理を行う（３０８）。付与される会員ＩＤ及びパスワードは操作者の端末機３に送信され、会員ＩＤコード等が発行され、新規会員になった旨が表示される。また会員ＤＢ１２には会員ＩＤ及びパスワードに対応して新規に入力されたこの会員の関連情報が登録される（３０９）。そして、引き続いて、投資の取引きを行うか否かのガイダンスが表示され、即取引きを行う場合にはステップ３０４へ案内される（１１０）。一方、その時に取引きをしない場合には処理を終了する。
【００１６】
図４は新企画となるＣＤ商品の登録データベース１３のフォーマット構成を示す図である。
【００１７】
このＤＢ１３には、プロジェクトＩＤ，アーティスト名、作品名、ミュージッククリップ、ムービークリップ、アーティストＩＤ，作品ＩＤ、ジャンル、その他の情報が登録される。ここで、プロジェクトＩＤとは企画に付けられた識別子であり、企画商品の分類や並べ替えに使用するものである。アーティスト名とは、例えば歌手名或いは企画者名である。アーティストＩＤとはアーティスト毎に付けられた識別子である。作品名とは例えば曲名であり、曲ごとに異なる作品ＩＤが付される。会員は作品名を選択して投資し、作品ＩＤ毎にそのＣＤ商品の販売高が管理される。ミュージッククリップはこの作品である曲の最初の１又は数フレーズであり、ムービークリップはその曲を歌っている歌手の映像或いは曲に合った風景等の画像であり、これらのクリップ情報は会員が作品に投資するための視聴用に使用される。それらの曲及び画像のクリップ情報はクリップＤＢ１６に登録されている。クリップ情報には管理のために固有の符号、例えばクリップ番号が付され、この番号をキーとしてクリップＤＢ１６が検索される。
もし、クリップＤＢ１６にクリップ情報が登録されている場合には、商品ＤＢ１３には「有」のフラグが記憶され、対応する曲又は画像のクリップ番号が記憶される。会員が投資に際して、これらのクリップを視聴する場合には、クリップＤＢ１６から当該クリップ番号に対応するミュージック又はムービークリップが読み出され、サーバ１より端末機３に送信され、視聴に供される。
尚、ジャンルとはポピュラー、演歌などの曲の分類を示す。その他の情報として、作風とか、曲や作品の持つ雰囲気などが登録されても良い。
【００１８】
次に、図５を参照して企画商品となるＣＤの販売に対する投票処理について説明する。この投票取引き処理は会員の投票結果のデータによって作品の人気度を把握し、投資対象とする作品の選定のために利用される。
まず、利用者はＰＣまたは携帯電話等の端末機２を用いてこのビジネスを行う業者のホームページＨＰ（表示画面Ａ０）を読み出し、投票のための操作を開始する。これはＨＰ上に設けられた「投票ボタン」を操作することにより開始するこことができる。このＨＰから投票取引に入れるのは、会員でなければならず、図３のフローチャートで会員登録がなされており、会員としてのＩＤやパスワードのチェックの結果、取引きが許容されていることが前提となる。
【００１９】
さて、会員により投票取引きが選択されると、サーバ１の処理装置１１は投票取引き処理を開始する（５０１）。サーバ１はアーティスト作品案内画面を作成し、端末機２へ送信する（５０２）。サーバ１のＤＢ１８に記憶されている投票対象となるアーティストの作品名の一覧を読み出し、またその後アーティスト作品毎の詳細情報を読み出して端末機２へ送られる。端末機２の表示画面には、まず図６のＡ１ようなアーティスト作品一覧が表示される。利用者がマウス等により、作品一覧からあるアーティスト名又は作品名を選択すると、その作品に対応したアーティスト又はその作品の詳細画面Ａ２がサーバ１から送信されて端末機２に表示される。詳細画面Ａ２として、アーティストのプロフィール、作品解説、クリップリストが表示される。このアーティストに関連する作詞又は作曲の曲が複数ある場合には、クリップリストには複数の曲名が表示され、各々の曲に対応してクリップボタンが表示されている。利用者が、クリップリストの曲名から任意にクリップボタンを選ぶと、それに対応したミュージッククリップがクリップＤＢ１６から読み出されて、端末機２に送信され、視聴に供される。尚、クリップリストの曲名の中でＤＢ１６にミュージッククリップが有るか無いかは、このリストの曲名対応にフラグが表示されることで、利用者は一目瞭然に分かる。
【００２０】
画面Ａ２において利用者が「投票」キーを選択すると、サーバ１は投票作品画面Ａ３を作成して（５０３）、端末機２に送信する。端末機２の表示画面には画面Ａ３が表示される。この画面Ａ３には、「投票する」か「投票しない」かのキーが表示される他、「現在投票者数」のキーが表示される。利用者が「投票する」キーを選択すると、サーバ１は画面Ａ４を作成し（５０４）、これを端末機２に送信して表示する。画面Ａ４は投票規約確認文を表示する画面であり、例えば投票結果が利用される範囲や、個人情報は本件投票のみに利用される旨、等が表示される。画面Ａ４には、利用者がその規約に「同意する」か否かのキーが設けられており、「同意する」キーが選択されると、サーバ１は投票確認画面となる画面Ａ５を作成し（５０５）、これを端末機２に送信して表示する。投票確認画面には、利用者が選択したアーティストの作品名やその内容が表示される。画面の下部には「はい」「いいえ」のキーがあり、利用者は確認結果からいずれかのキーを選択できる。「はい」キーが選択されると、サーバ１は終了画面となる画面Ａ６を作成して（５０６）、端末機２へ送信し、表示する。また、「はい」が選択されると、サーバ１は当該アーティストの作品に関し、投票者数を＋１するようにデータ更新して、再びＤＢ１８に格納する。
上記ステップ５０４の画面で「現在投票者数」のキーが選択されると、サーバはＤＢ１８から選択された当該アーティストに関する最新の投票者数の情報を読出し、画面Ａ７を作成し（５０７）、端末機に送信し、画面Ａ７を表示する。
このようにして、アーティストの作品に関する投票者数の情報が、作品の人気度の情報として得られる。投票者数の情報等はアーティストの作品ＩＤ毎に区分されてＤＢ１７に登録される。ＤＢ１７に登録された投票の情報を参考にして、商品の企画者又は業者は投資の対象とすべきアーティストの作品を選定することができる。
【００２１】
例えば、毎月の新商品企画会議において、ＤＢ１７に登録されている作品から投票数の上位にランクされる作品を複数候補に上げ、その中から投資の対象作品候補を決定するようにして良い。投資の候補として決定された上位の作品群はアーティスト作品一覧として作成され、ＤＢ１８に格納される。
更に、投資対象作品を選ぶための新商品企画会議の開催を省略することもできる。即ちサーバ１は、投票ＤＢ１７に格納される投票情報から上位の数１０位にランクされた全ての曲名を自動的に選択して一覧表を作成し、投資対象の作品としてＤＢ１８に作品名一覧を登録しておくことができる。会員からの投資取引きの処理に応じて、このＤＢ１８に登録されているアーティストの作品名の一覧を読み出して端末機２へ送信する。
【００２２】
上記した例では、投票が行える対象者は登録した会員に限るとしたが、作品に関する人気度を調べるには広く情報を収集したほうが好ましい。その場合には会員に限らず、このＨＰにアクセスした一般の人（非会員）を対象に投票可能とするのが良い。これは、例えば図３のフローチャートにおいて、ステップ３０２、３０３を省略し、投票の場合には全ての利用者が図５の取引きが即行えるようにすることで達成できる。尚、非会員なので図５のフローチャートで投票規約画面Ａ５の表示文には厳格な規約は必要とされないであろう。
【００２３】
次に図７のフローチャート及び図８、図９の表示画面例を参照しながら、作品への投資取引き処理について説明する。
この投資取引きとは、会員が自ら作品を選択して、その作品の商品化に関して投資を行うための処理である。この投資の取引きの対象者は会員でなければならず、図３のフローチャートで会員登録がなされており、会員としてのＩＤやパスワードのチェックの結果、取引きが許容されていることが前提となる。
【００２４】
このビジネスのホームページＨＰの初期画面から、「投資ボタン」を操作して、「投資」が選択されると、サーバ１の処理装置１１は投資取引き処理を開始する（７０１）。サーバ１はＤＢ１８に記憶されている投資対象となるアーティストの作品名の一覧を読み出して端末機２へ送る（７０２）。端末機２の表示画面には図８のＢ１ようなアーティスト作品一覧が表示される。そして利用者が画面Ｂ１からあるアーティストの作品を選択すると、そのアーティストの作品に関する詳細な情報をＤＢ１８から読み出して端末機２へ送信し（７０３）、詳細画面Ｂ２が表示される。画面Ｂ２には当該アーティストの作品に関する詳細な情報として、アーティストのプロフィール、作品解説、クリップリストの表示がある。クリップリストから任意な曲名のミュージッククリップを選ぶのは前述と同様である。曲名に対応するクリップボタンが選択されると（７０４）、サーバ１はこの作品のＩＤおよびクリップ番号に基づいてクリップＤＢ１６を検索して、この作品のクリップ情報を読出し、端末機２へ送信する（７０５）。これにより投資者は、ＰＣまたは携帯電話等の端末機２に出力されるミュージッククリップを聴くことができる。またクリップ情報がその作品に関する画像情報も含む場合にはその映像も画面に表示して見ることができる。勿論、クリップ情報としては画像情報のみの場合もあり、そのときは映像のみが表示される。
【００２５】
画面Ｂ２で「次へ」が選択されると、サーバ１は投資条件確認のための画面Ｂ３を作成して、送信する（７０６）。端末機に表示される画面Ｂ３の投資条件には、例えば、「投資は自己責任で、会員のみが投資できる旨」等が表示される。利用者は画面Ｂ３下欄の選択キーから当該作品に投資するか否かを選択することができる（７０７）。もし「投資しない」キーが選ばれると初期のアーティスト作品一覧の画面Ｂ１へ移る。
一方「投資する」キーが選ばれると、サーバ１は決済方法を示す画面Ｂ４を作成して端末機２へ送信して、表示する（７０８）。画面Ｂ４には決済方法に関する画面が表示され、利用者はこの画面から投資資金の支出先を指定する。選択キーとしては「クレジットカード」や「銀行口座引落し」がある。尚、他の選択肢として「ｅ−ｃａｓｈ引落し」も考えられるが、説明を簡単にするためにその選択は省略してある。画面Ｂ４からクレジットカードによる支払いが選択されると画面Ｂ５へ移り、銀行口座引落しが選択されると画面Ｂ６に移り、夫々図示のように決済に必要な情報の入力が促される。画面Ｂ５及びＢ６に示すように、投資資金の引落しに関する情報のほか、投資者はこの段階で投資口数を入力する。投資は例えば１口当り１０，０００円とし、最大１００口までの投資口数が可能である。
【００２６】
クレジットカード決済の場合に、「次へ」が選択されると、サーバ１は配当金払込みのための画面Ｂ７を作成し、端末機へ送信して、表示する（７０９）。利用者はこの画面Ｂ７の表示項目から必要な情報を入力する。また銀行口座引落し画面Ｂ６で「次へ」が選択されると、配当金払込のための画面Ｂ８が作成されて、表示される。この画面Ｂ８は引落し口座と同じ銀行口座に払い込むか否かを処理するものである。「別の口座を利用する」が選択されると、画面Ｂ７が作成されて、表示され、払込のための必要な項目情報が入力されるようになる。尚、会員として既に投資の取引きがあり、会員ＤＢ１２にクレジット番号や銀行口座番号が登録されている場合には、その登録済みのそれらの番号が会員ＤＢ１２から読み出され、上記画面Ｂ５，Ｂ６にそれらの番号を含めて表示するようにできる。もし利用者がこれらと同じ口座番号を利用するならば、新たな情報を入力する必要が無く、「次へ」キーを操作すれば良いだけであり、操作が簡便になる。
最終的には利用者が今回の投資取引きで入力した情報を纏めた確認画面９が作成されて、表示される（７１０）。利用者はこの画面Ｂ９を見て自分が入力した情報の確認を行う。利用者が入力する情報は、氏名、口座番号等、図２に示すような会員となるために必要な情報である。画面Ｂ９で「投資確認キー」が選択されると、サーバ１は投資者が投資した作品、投資口数等を含む投資証券を編集、作成して、端末機２へ送信し、投資者に対する確認のために証券画面Ｂ１０を表示する（７１１）。この証券は電子証券として会員に発行されるものである。会員への送付は、会員ＤＢ１２に登録された当該会員のＥメールアドレス宛にこの電子証券を添付メールとしてネットワークを介して送信することにより行われる。画面Ｂ１０で「次へ」が選択されると最後に手続き終了の画面Ｂ１１が作成されて、表示される（７１１）。これにより一連の取引き処理は終了し、初期画面Ｂ１に移る（７１３）。
【００２７】
上記一連の処理が終了すると、サーバ１は会員ＤＢ１２の対象とする会員のデータを更新する。即ち当該会員のクレジットカードの番号、配当金の払込口座番号、投資作品のコードが新規に又は更新されて登録される。既に会員としてクレジットカード番号の登録や銀行口座番号の登録が成されている場合は、投資作品のコードと投資口数が新たに登録されることになる。
尚、ステップ７０６において、画面Ｂ３の下欄の「現在配当予測」が選択されると、サーバ１はＤＢ１８から選択された作品に関する現在配当金予測データを読み出して、画面Ｂ１２を作成して端末機２に送信して、表示する（７１５）。投資者はこの画面を見て当該作品の現時点の配当金を知ることができる。
【００２８】
次に図１０を参照して、ある作品に関する予想配当金の処理について説明する。サーバ１は、ある作品に関して新たに投資があった場合に、投資口数が増えるので、その度に予想配当金の計算を行う。
【００２９】
上述した図７の処理で、ある作品に対して口数ｍの投資が行われたとすると、サーバ１はその通知を受けて（９０１）、ＤＢ１８に登録されている作品毎の配当金予測テーブルを検索して、指定された作品の現時点までの投資口数ｎを読出す（９０２）。そして処理装置１１はその作品の投資口数の合計（ｎ＋ｍ）を計算する（９０３）。更に口数の合計値（ｎ＋ｍ）に、この作品の予定販売価格＠を乗じて投資合計金額ｗを計算する（９０４）。そしてこの投資合計金額ｗが、商品の（製作コスト＋販売コスト＋ｍｉｎ利益）の合計値より大きいか否かが判断される（９０５）。もし、「大」であるならば、以下の配当予測の計算処理フローを行う。一方、「小」の場合は未だ投資口数が少ないことを意味し、作品の商品化が決定されないか、又は販売されるとしても利益が出ていない状況である。そこで、「商品化未定」をテーブルに登録しておいて、上述のステップ７１４では「商品化未定」及び「現在の投資口数」を画面表示するようにしても良い。
【００３０】
投資合計金額ｗの判定ステップ９０５において、「大」の場合には、当該作品の商品化が行われるとみなし、商品の売上予想数（例えばＣＤの売上予想枚数）ｋを算出する（９０６）。既に商品の販売が行われている場合にはこの売上予想数は現在高に対して当面の売上予想される。売上予想は例えば同種、同歌手の作品過去の売上トレンドデータから予測算出される。次に当該商品の総売上高ｙ（＠×ｋ）を計算する（９０７）。そして予想配当金ｚが計算される（９０８）。これは例えば、ｚ＝ｙ×配当率α÷（ｎ＋ｍ）の算出式で計算される。この計算結果は、ＤＢ１８の配当金予想テーブルの当該作品に対応して登録される（９０９）。また図７で説明したステップ７１４により画面１２に現在時点の予想配当金が表示される。
【００３１】
次に図１１を参照して、商品の売上げ管理用データベース１４の構成について説明する。
上述したようにある作品への投資取引きが行われ、投資口数がある数以上になると、投資資金の運用の目処が立ち、いよいよその作品について商品化の決定が成される。商品は一般市場で店頭販売されても良いし、またインタネットを通じて販売されても良い。いずれの場合にも売上高は配当金の計算に影響するのでサーバ１で厳格に管理される。尚、インタネット上でのみの商品販売の場合には、販売数量は、即サーバ１で計算され、その商品の販売高が更新されてＤＢに登録されるので売上高管理は容易である。
商品（例えばＣＤ）が販売された後は、サーバ１では商品毎に売上高管理が行われ、配当金支払いのために種々のデータが計算され、登録管理される。ＤＢ１４の管理テーブルには図示のように、商品（作品ＩＤ）毎に、商品の単価＠、一定の売上期間、売上枚数ｋ、総売上高ｙ、売上利益ｘ（＝ｙ−必要経費）、配当率α、投資口数ｍ、配当金ｚが登録される。この例では売上期間が３ヶ月毎に、種々の関連データが処理装置１１で計算され、更新されて登録される。この例では、商品販売開始以降、配当率α及び投資口数ｍは一定とする。即ち投資資金は商品販売に使用されるものとし、商品販売開始後はもはや当該商品は投資の対象としないとの前提とする。そのため配当率αもその時点で決まる。一方毎日のＣＤ商品売上枚数ｋｉが更新されることに伴い、総売上高ｙｉ、売上利益ｘｉは変る。このため配当金ｚｉも３ヶ月毎に夫々更新されて、登録される。
売上高が減り、売上利益が計上できなくなると、配当金はマイナス表示になる。この場合は投資家にはもはや配当されない。
【００３２】
上記のように計算された配当金は、作品対応に３ヶ月毎に、図９のＢ７画面に従って決められた投資家の銀行口座に自動振込される。併せて会員ＤＢ１２の対応する投資家会員のテーブルにその作品ＩＤに対応する配当金期間毎に、配当金１回目、配当金２回目のごとく支払われた配当金を登録しておく。配当金支払いの来歴管理のためである。尚、音楽ＣＤのような流行商品に関しては売上の推移が激しいので配当金は３ヶ月程度で良いと考えられるが、売上高が余り流行に左右されないような作品にあっては配当金の支払い期間はもっと長くして６ヶ月程度としても良い。
【００３３】
以上、本発明の実施例を説明したが、本発明は上記実施例に限定されること無く、種々変形したり、応用して実施できる。例えば上記例では作品に対する投票はネットワークを通じて作品の情報を端末機に流し、利用者が端末機から投票を行うようにしている。しかし、これに限らず、投票用の作品の情報はテレビジョン、ラジオ、新聞広告等のメディアを通じて行い、一般の人が投票する場合のみ図５に示したように端末機から投票情報をサーバに送信するようにしても良い。この場合、メディアの作品対応に予めＩＤが付され、投票者はメディア上の作品を選び、付与されたＩＤを選定して端末機から入力して投票する。
【００３４】
またある商品の販売開始に伴い、最初の商品は会員に無料配布、或いはディスカウント価格で販売するようにしても良い。このディスカウント代金は会員のＤＢに登録された銀行口座又はクレジットカードから自動引落しすることができる。
【００３５】
また、投資資金の決済支払い手段として、クレジットカードや銀行口座を用いる例を説明したが、携帯電話を用い、携帯決済を行うようにすることもできる。
これは、図８のＢ５，Ｂ６対応するものとして携帯決済のための入力項目を表示するようにすれば良い。
【００３６】
また、上述したＤＢに関しても種々変更、応用して実施できる。
例えば、投資家ＤＢ１５は省略することができる。投資者は必ず会員であるので、会員ＤＢ１２の投資商品コード、投資口数、配当金の情報項目が有れば、投資者の関連情報は得られる。
また、投票ＤＢ１７も省略できる。例えば商品ＤＢ１３を共用して、投票ＤＢに登録される作品に関する投票数の情報を、商品１３の商品（作品）に関連付けて登録するようにして良い。また、商品売上管理ＤＢ１４を省略し、このＤＢ１４に登録される売上情報を、商品ＤＢ１３の商品に関連付けて登録させるようにして良い。
また、これら各種のＤＢは各々独立して設けず、１つのＤＢを共用するようにしても良い。即ち１つのＤＢを複数の領域に分けて、各領域にＤＢ１２〜１８に格納した情報を登録するようにできる。
また、その場合その１つのＤＢはサーバ１内に設けず、ネットワークを介して通信できるデータステーションを用いて、このＤＢを形成することもできる。
【００３７】
クリップ情報としては、音楽、映像、映画、画像に関する情報の一コマ情報の他に、ゲーム、アニメ、小説等のシナリオの概要が含まれても良い。これらの情報が参考情報として会員に開示され、投票や投資のための作品の選択に役立つ。また、クリップＤＢ１６はサーバ内のＤＢとして設けず、省略することもできる。例えば、クリップ情報には音楽、映画、アニメ、ゲーム等いろいろな情報があり、元来それらの情報を所有又は提供する者はプロダクションやアーティスト、制作会社など色々である。これら各種の情報を１つ１つ収集して、ＤＢを構築するのは大変な作業となる。そのため、これらの業者や会社にクリップＤＢを構築させておき、例えば図６の画面Ａ２又は図８の画面Ｂ２のクリップリストから各社のクリップＤＢをアクセスできるようにリンクを形成しておき、選択された音楽や映像などの作品のクリップ情報を、ネットワークを介してサーバ１や端末機２に送信することができる。
【００３８】
付記：
本発明の実施の態様を参考までいくつか記載する。
（１）商品売上管理ＤＢ
商品売上管理ＤＢは、商品（作品ＩＤ）毎に、一定の期間毎に、商品の単価、売上数、総売上高、売上利益、配当率、投資口数、配当金を登録する。
（２）商品化の対象となる商品に関して、利用者からの投票結果を登録する投票ＤＢと、該投票ＤＢに登録される投票情報から上位にランクされる商品を出力し、投資の選択の対象とするために端末機へ送信する手段とを有すること。
（３）会員ＤＢ
会員ＤＢには、少なくとも、氏名、会員に付与された固有のＩＤと、会員が商品の投資を行う際、投資資金を支出する手段がクレジットカードである場合にはクレジットカード番号と、配当金を振込むための金融機関の口座番号と、会員の連絡先を示す情報と、を登録する。
（４）クリップＤＢ
商品のクリップ情報を登録するクリップＤＢを有し、該クリップＤＢ内のクリップ情報を読み出すために関連付けられた固有の符号を、該商品ＤＢに登録されている商品に対応して商品ＤＢ内に登録しておき、該クリップＤＢから読み出されたある商品のクリップ情報を端末機へ送信する投資システム。
（５）クリップＤＢ
クリップＤＢは、商品のクリップ情報として音楽、映像、映画、画像に関する情報、ゲーム、アニメ、小説等の一部又はその概要、シナリオに関する情報を商品に関連付けて格納すること。
（６）クリップ情報の処理
投票又は投資の取引き処理において、端末機の表示部に表示される商品化の対象となる商品の一覧からある商品のクリップ情報を選択でき、選択された商品に対応するクリップ情報をクリップＤＢから得て、端末機に送信し、出力すること。
（７）クリップ情報の処理
端末機の表示部に表示される商品化の対象となる商品の一覧のクリップとクリップＤＢとは夫々リンクが形成されており、この一覧からあるクリップを選択すると、関連するクリップＤＢをアクセスして、対応するクリップ情報を取得して、端末機に出力すること。
（８）電子証券の発行
サーバは、投資された商品に関する投資証券を電子情報として作成する手段を有し、作成された証券は、該会員ＤＢに登録された会員の連絡先を示す情報に従って会員に送信されることを特徴とする投資システム。
（９）投票取引き
投票取引きは、会員ＤＢに登録された会員以外の者も行えること。
（１０）投資取引き
投資取引きは、会員ＤＢに登録された会員に限定して行えること。
（１１）投資取引き
会員が一旦投資の取引きを行い、その後再び投資の取引きを行う場合、サーバは、会員ＤＢに登録された当該会員のクレジットカード番号及び金融機関の口座番号を含む情報を読み出して端末機に送信し、これらの情報は端末機に表示されること。
（１２）予想配当金の処理
サーバは、投資の対象となる作品に関する予想配当金を算出する手段と、算出された予想配当金の情報を作品毎に記憶しておくＤＢと、端末機の画面からある作品の予想配当金を参照する操作が行われた場合、このＤＢからその作品の予想配当金を読み出して、端末機に送信する手段を有する。
（１３）会員による商品の購入、決済
会員が商品を購入した場合、料金は会員ＤＢに登録された会員の口座から引き落とされること。
【００３９】
【発明の効果】
本発明によれば、投資者はネットワークを介して商品の投資が行えると共に、商品の企画者は投資家から商品化のための資金が調達できる。また、商品化に当たっては、作品やアイデアの投票を参考にして商品化の判断ができる。また、会員に対しては、投資の判断の参考となるように、商品に関する参考的な情報を提供できる。
【図面の簡単な説明】
【図１】本発明の一実施例による作品の投資システムのブロック図。
【図２】会員の登録データベースの構成を示す図。
【図３】会員の取引及び登録のためのフローチャート図。
【図４】新企画ＣＤ商品の登録データベースの構成を示す図。
【図５】企画商品の投票処理の動作を説明するためのフローチャート図。
【図６】投票処理における端末機の表示画面の様子を示す図。
【図７】投資取引き処理の動作を説明するためのフローチャート図。
【図８】投資処理における端末機の表示画面の様子を示す図。
【図９】投資処理における端末機の表示画面の様子を示す図。
【図１０】予想配当金の計算処理のためのフローチャート図。
【図１１】商品の売上げ管理データベースのフォーマットを示す図。
【符号の説明】
サーバ                １１．処理装置
１２．会員ＤＢ              １３．商品ＤＢ
１４．商品売上ＤＢ          １５．投資家ＤＢ
１６．クリップＤＢ          １７．投票ＤＢ
１８．その他のＤＢ          １９．送受信部
２．端末機                  ３．ネットワーク
【図１】
2004185367.tif 000003
【図２】
2004185367.tif 000004
【図３】
2004185367.tif 000005
【図４】
2004185367.tif 000006
【図５】
2004185367.tif 000007
【図６】
2004185367.tif 000008
【図７】
2004185367.tif 000009
【図８】
2004185367.tif 000010
【図９】
2004185367.tif 000011
【図１０】
2004185367.tif 000012
【図１１】
2004185367.tif 000013